(57)【要約】【課題】好適に多段積みができ、容易に組立て及び分解ができる組立式箱の提供。【解決手段】底板２２と、前側板、背側板、左側板及び右側板と、連結板３１〜３４と、左頂板及び右頂板とを備え、前側板及び背側板は、外側板３７，４０と内側板３９，４２とをもってそれぞれ構成され、左頂板及び右頂板は、外頂板５８，６２と内頂板５９，６３とをもって構成され、左側板及び右側板は、外側板４８，５０と内側板４９，５１とをもって構成され、内頂板５９，６３を折り目５２，５３より折り曲げることにより、外側板４８，５０の内側面に内側板４９，５１を重ね合わせ、左右側板をそれぞれ底板２２に重ねて折り畳んだ状態で全体形状を平板状となし、各側板を底板に対して直角に立ち上げ、前内側板及び背内側板の側縁部をそれぞれ左右側板の内面に係合させるとともに、左右頂板を折り目より折り曲げて左右頂板の両側縁部をそれぞれ前側板及び背側板の上縁に係合させ、上面両端部に頂板を備えた箱状に組み立てられるようにした。【選択図】    図２
2004203461.tif 000002
【特許請求の範囲】
【請求項１】
四角形の底板と、該底板の前背左右の各縁部にそれぞれ折り目を介して一体に形成された前側板、背側板、左側板及び右側板と、前記前側板と前記左側板の各側辺間を連結し、前記底板の隅を始点とした折り目が形成された前左側板間連結板と、前記前側板と前記右側板の各側辺間を連結し、前記底板の隅を始点とした折り目が形成された前右側板間連結板と、前記背側板と前記左側板の各側辺間を連結し、前記底板の隅を始点とした折り目が形成された背左側板間連結板と、前記背側板と前記右側板の各側辺間を連結し、前記底板の隅を始点とした折り目が形成された背右側板間連結板と、前記左側板及び右側板の前記底板とは反対側の縁部にそれぞれ折り目を介して一体に形成された左頂板及び右頂板とを備え、
前記前側板及び背側板は、前記底板と折り目を介して連続された外側板と、その底板とは反対側の縁部に一定幅を有する上縁板を介して一体に形成された内側板とをもってそれぞれ構成され、前記上縁板の両縁部を折り目として折り曲げることにより前記内側板を外側板に重ね合わせ、
前記左頂板及び右頂板は、それぞれ左右側板の底板とは反対側の縁部に折り目を介して一体に形成された外頂板と、該外頂板の左右側板とは反対側の縁部に折り目を介して一体に形成された内頂板とをもって構成され、前記内頂板を折り目より折り曲げて外頂板に重ね合わせ、
前記左側板及び右側板は、前記底板と折り目を介して連続した外側板と、前記内頂板の外頂板とは反対側の縁部に折り目を介して一体に形成された内側板とをもって構成され、前記内頂板を折り目より折り曲げて外頂板の内側面に重ね合わせることにより、前記外側板に内側板が重ね合わされ、
前記左右側板をそれぞれ前記底板に重ねて折り畳んだ状態で全体形状を平板状となし、各側板を前記底板に対して直角に立ち上げ、前記前内側板及び背内側板の側縁部をそれぞれ左右側板の内面に係合させるとともに、前記左右頂板を折り目より折り曲げて前記左右頂板の両側縁部をそれぞれ上縁板に係合させ、上面両端部に頂板を備えた箱状に組み立てられるようにしたことを特徴としてなる組立式箱。
【請求項２】
左頂板及び右頂板は、両側縁に折り目を介して一体に形成された係止片を備え、上縁板は、前記係止片が係止される係止孔を備えた請求項１に記載の組立式箱。
【請求項３】
係止片は、左頂板及び右頂板の両側縁に折り目を介して一体に形成された挿入板と、該挿入板の内側面又は外側面に重ね合わされる係合板とを備えた請求項２に記載の組立式箱。
【請求項４】
係合板は、挿入板の左頂板又は右頂板とは反対側の縁部に折り目を介して一体に形成された請求項３に記載の組立式箱。
【請求項５】
係止片は、左外頂板及び右外頂板の両側縁に折り目を介して一体に形成された外係止片と、左内頂板及び右内頂板の両側縁に折り目を介して一体に形成された内係止片とをもって形成され、前記内頂板を折り目より折り曲げて外頂板の内側面に重ね合わせることにより、前記内係止片と前記外係止片とが重ね合わされるようにした請求項２に記載の組立式箱。
【請求項６】
上縁板は、前記係止孔と連続した切れ目を備えた請求項３、４又は５に記載の組立式箱。
【請求項７】
前内側板及び背内側板に、その側縁基端側より先端縁側に斜めに向けた折り目を形成して該折り目より折り畳まれる逃がし片部を備えた請求項１〜５又は６に記載の組立式箱。
【請求項８】
逃がし片部は、引き起こし用の指穴を備えた請求項７に記載の組立式箱。
【請求項９】
耐水性を有する請求項１〜７又は８に記載の組立式箱。
【発明の詳細な説明】
【０００１】
【発明の属する技術分野】
本発明は、主に魚介類等の生鮮食料品の運搬等に使用される組立式箱に関する。
【０００２】
【従来の技術】
従来、魚介類等の生鮮食料品の運搬等には、使用後の再利用や廃棄焼却された際の有害物質発生防止等の環境問題を考慮して、図９、図１０に示すような紙材製の組立式箱が用いられている（例えば、特許文献１を参照）。
【０００３】
この組立式箱１は、底板２の四辺に折り目を介して一体に形成された前側板３、背側板４、左側板５及び右側板６と、左右側板５，６の底板２とは反対側の縁部に折り目を介して一体に形成された左頂板７及び右頂板８とを備えて形成され、図１０に示す打ち抜きの展開された状態から、側板３，４，５，６をそれぞれ組立てて立ち上げるとともに、左右頂板７，８を内側に折り曲げ、左右頂板７，８の両側縁に設けた係止片９，９を前後側板３，４の上縁に設けられた係止孔１０，１０に係止させることによって、箱上面端部に頂板７，８を備えた箱状に組み立てられるようになっており、頂板７，８を箱上面端部に設けたことによって箱全体が補強されるとともに、頂板７，８で上段の箱を支持するので、段積みが容易に行え、しかも箱を多段に積み上げても箱内部に収容された生鮮食料品等の内容物を好適に保護できるようになっている。
【０００４】
また、この組立式箱は、使用後、分解して図１０に示す展開した状態に戻し、再利用を図ったり、廃棄したりするようにしている。
【０００５】
【特許文献１】
特開平１０−３３８２３２号公報（０００２段落、図４，図５）
【０００６】
【発明が解決しようとする課題】
しかし、上述のような従来の組立式箱は、展開された状態から箱に組み立てる作業、或いは箱から展開された状態に分解する作業が困難で作業時間がかかり作業効率が悪いという問題があった。
【０００７】
本発明は、このような従来の技術の状況を鑑み、好適に多段積みができ、容易に組立て及び分解ができる組立式箱の提供を目的とする。
【０００８】
【課題を解決するための手段】
上述の如き従来の問題を解決し、所期の目的を達成するための請求項１の組立式箱は、四角形の底板と、該底板の前背左右の各縁部にそれぞれ折り目を介して一体に形成された前側板、背側板、左側板及び右側板と、前記前側板と前記左側板の各側辺間を連結し、前記底板の隅を始点とした折り目が形成された前左側板間連結板と、前記前側板と前記右側板の各側辺間を連結し、前記底板の隅を始点とした折り目が形成された前右側板間連結板と、前記背側板と前記左側板の各側辺間を連結し、前記底板の隅を始点とした折り目が形成された背左側板間連結板と、前記背側板と前記右側板の各側辺間を連結し、前記底板の隅を始点とした折り目が形成された背右側板間連結板と、前記左側板及び右側板の前記底板とは反対側の縁部にそれぞれ折り目を介して一体に形成された左頂板及び右頂板とを備え、前記前側板及び背側板は、前記底板と折り目を介して連続された外側板と、その底板とは反対側の縁部に一定幅を有する上縁板を介して一体に形成された内側板とをもってそれぞれ構成され、前記上縁板の両縁部を折り目として折り曲げることにより前記内側板を外側板に重ね合わせ、前記左頂板及び右頂板は、それぞれ左右側板の底板とは反対側の縁部に折り目を介して一体に形成された外頂板と、該外頂板の左右側板とは反対側の縁部に折り目を介して一体に形成された内頂板とをもって構成され、前記内頂板を折り目より折り曲げて外頂板に重ね合わせ、前記左側板及び右側板は、前記底板と折り目を介して連続した外側板と、前記内頂板の外頂板とは反対側の縁部に折り目を介して一体に形成された内側板とをもって構成され、前記内頂板を折り目より折り曲げて外頂板の内側面に重ね合わせることにより、前記外側板に内側板が重ね合わされ、前記左右側板をそれぞれ前記底板に重ねて折り畳んだ状態で全体形状を平板状となし、各側板を前記底板に対して直角に立ち上げ、前記前内側板及び背内側板の側縁部をそれぞれ左右側板の内面に係合させるとともに、前記左右頂板を折り目より折り曲げて前記左右頂板の両側縁部をそれぞれ上縁板に係合させ、上面両端部に頂板を備えた箱状に組み立てられるようにしたことを特徴とする。
【０００９】
このように構成することによって、各側板及び左右頂板が補強されて十分な強度を確保し、上面端部に左右頂板を備えることで、箱全体を補強することができるとともに、頂板によって上段に重ねられた箱を支持することができるので、好適に多段積みを行うことができ、また、このような箱の組立て及び分解を容易に行うことができる。
【００１０】
請求項２の発明は、請求項１の構成に加え、左頂板及び右頂板が、両側縁に折り目を介して一体に形成された係止片を備え、上縁板は、前記係止片が係止される係止孔を備えたことを特徴とする。
【００１１】
このように構成することによって、左右頂板の両側縁を前後側板の上縁部を構成する上縁板に対して好適に係止させることができる。
【００１２】
請求項３の発明は、請求項２の構成に加え、係止片が、左頂板及び右頂板の両側縁に折り目を介して一体に形成された挿入板と、該挿入板の内側面又は外側面に重ね合わされる係合板とを備えたことを特徴とする。
【００１３】
このように構成することによって、係合板の縁部が係止孔の縁部に当接して抜け止めがされ、各頂板を好適に上縁板に係合させることができる。
【００１４】
請求項４の発明は、請求項３の構成に加え、係合板が、挿入板の左頂板又は右頂板とは反対側の縁部に折り目を介して一体に形成されたことを特徴とする。
【００１５】
このように構成することによって、別個に部品を必要とせず、係止孔に挿入されると、係合板が折り目を中心にレ字状に開き、係合板の上縁部が係止孔の縁部に当接して抜けにくくなる。
【００１６】
請求項５の発明は、請求項２の構成に加え、係止片が、左外頂板及び右外頂板の両側縁に折り目を介して一体に形成された外係止片と、左内頂板及び右内頂板の両側縁に折り目を介して一体に形成された内係止片とをもって形成され、前記内頂板を折り目より折り曲げて外頂板の内側面に重ね合わせることにより、前記内係止片を前記外係止片に重ね合わされるようにしたことを特徴とする。
【００１７】
このように構成することにより、係止片を補強することができ、頂板と前背側板との連結部を強化することができる。
【００１８】
請求項６の発明は、請求項３、４又は５の構成に加え、上縁板が、前記係止孔と連続した切れ目を備えたことを特徴とする。
【００１９】
このように構成することによって、係止片が係止孔に対して挿入する際には、比較的挿入しやすく、挿入された後は抜けにくくなる。
【００２０】
請求項７の発明は、請求項１〜５又は６の構成に加え、前内側板及び背内側板に、その側縁基端側より先端縁側に斜めに向けた折り目を形成して該折り目より折り畳まれる逃がし片部を備えたことを特徴とする。
【００２１】
このように構成することによって、前内側板及び背内側板が各連結板に干渉せず、容易に組立及び分解を行うことができる。
【００２２】
請求項８の発明は、請求項７の構成に加え、逃がし片部が、引き起こし用の指穴を備えたことを特徴とする。
【００２３】
このように構成することによって、箱を分解する際に、逃がし片部を引き起こし易くし、好適に箱の分解作業を行うことができる。
【００２４】
請求項９の発明は、請求項１〜７又は８の構成に加え、耐水性を有することを特徴とする。
【００２５】
このように構成することによって、魚介類等の運搬に用いられるトロ箱のように、水分や湿気の多い場所にて使用される場合にも適用することができる。
【００２６】
【発明の実施の形態】
次に、本発明に係る組立式箱の実施の形態を図について説明する。
【００２７】
図１は本発明に係る組立式箱の一例を示し、符号２０は組立式箱、２１は蓋である。
【００２８】
組立式箱２０は、段ボール紙等の紙製の板状材を図２に示すように組立式箱を展開した状態に打抜き、これを折曲加工することにより形成されている。尚、組立式箱２０は、板状材を耐水材で覆うことによって耐水処理が施され、耐水性を有している。
【００２９】
この組立式箱２０は、四角形の底板２２と、底板２２の前背左右の縁部にそれぞれ折り目２３〜２６を介して一体に形成された前側板２７、背側板２８、左側板２９及び右側板３０と、前側板２７と左側板２９の各側辺部を連結する前左側板間連結板３１と、前側板２７と右側板３０の各側辺部を連結する前右側板間連結板３２と、背側板２８と左側板２９の各側辺部を連結する背左側板間連結板３３と、背側板２８と右側板３０の各側辺部を連結する背右側板間連結板３４と、左側板２９及び右側板３０の縁部にそれぞれ折り目を介して一体に形成された左頂板３５及び右頂板３６とを備えている。
【００３０】
前側板２７は、底板２２と折り目２３を介して連続した前外側板３７と、その折り目２３とは反対側の縁部に前上縁板３８を介して一体に形成された前内側板３９とをもって構成され、前上縁板３８の両縁部を折り目として折り曲げることにより、前内側板３９を前外側板３７に重ね合わせ、前内側板３９の前上縁板３８とは反対側の縁部に形成された接着片３９ａを前外側板３７の内側面に接着剤により固着させている。
【００３１】
背側板２８は、底板２２と折り目２４を介して連続した背外側板４０と、その折り目２４とは反対側の縁部に背上縁板４１を介して一体に形成された背内側板４２とをもって構成され、背上縁板４１の両縁部を折り目として折り曲げて背内側板４２を背外側板４０の内側面に重ね合わせ、背内側板４２の背上縁板４１とは反対側の縁部に形成された接着片４２ａを背外側板４０の内側面に接着剤により固着させている。
【００３２】
接着片３９ａ，４２ａは、内側板３９，４２の上縁板３８，４１と反対側の縁に切れ目を入れるとともに、縁部と平行に折り目３９ｂ，３９ｃ、４２ｂ，４２ｃを入れることにより形成され、折り目３９ｂ、４２ｂを境に縁側のみを接着剤により外側板の内側面に固着させる。このようにすることによって、図３に示すように、上縁板３８，４１が一定の幅を有していても、無理なく内側板３９，４２を外側板３７，４０に接合することができる。
【００３３】
また、前外側板３７と前内側板３９、背外側板４０と背内側板４２は、ともに略同形の長方形状に形成され、前背内側板３９，４２には、その側縁基端側より先端縁側に斜めに向けた折り目４３，４３を形成して該折り目４３より折り畳まれる逃がし片部４４，４４を備えている。
【００３４】
逃がし片部４４の外側板とは反対側の縁部には、底板２２の縁部に形成された係止孔４５に係合する係合突起４６が形成されている。また、逃がし片部４４の中央部分には、箱を解体する際に、逃がし片部４４が容易に引き起こせるように、半円状の指穴４７，４７が設けられている。
【００３５】
係止孔４５は、底板２２の縁部に、折り目２３，２４の所定の位置の内側にコ字状に切り込みを入れることにより形成され、底板２２に対し、前外側板３７、背外側板４０を立ち上げることにより、係止孔４５が形成されるとともに、前背外側板３７，４０に一体化された脚４５ａが底部より突出するようになっている。
【００３６】
前上縁板３８及び背上縁板４１は、一定幅を有する細長板状に形成され、前側板２７又は背側板２８の上縁部を構成している。
【００３７】
左側板２９は、底板２２と折り目２５を介して連続した左外側板４８と、その左外側板４８に重ね合わされる左内側板４９とをもって構成されている。
【００３８】
右側板３０は、底板２２と折り目２６を介して連続した右外側板５０と、その右外側板５０と重ね合わされる右内側板５１とをもって構成されている。
【００３９】
左内側板４９及び右内側板５１は、折り目５２，５３より折り曲げることにより、それぞれ外側板４８，５０の内面に重ね合わされて左側板２９及び右側板３０を形成する。また、折り目５２，５３で折り曲げることにより、この左右側板２９，３０の底板２２とは反対側の縁部に、左右側板２９，３０と連続した左右頂板３５，３６がそれぞれ形成される。
【００４０】
左内側板４９及び右内側板５１の両側縁には、連結板３１，３２，３３，３４と共に前外側板３７と前内側板３９との間、或いは背外側板４０と背内側板４２との間に挟入される挟入板５４，５４が折り目を介して一体に形成されている。
【００４１】
また、左内側板４９及び右内側板５１の両側縁には、前内側板３９又は背内側板４２の側縁に設けられた係合突起５５が係合されるように係合用の切欠５６が設けられている。
【００４２】
更に、左内側板４９及び右内側板５１の両側縁の、折り目側端部を切り欠く、即ち折り目側端部の前後方向幅を外側板より狭くすることによって、前背側板の上縁部、即ち前上縁板３８，背上縁板４１の両端部が左右内側板４９，５１と干渉しないようになっている。
【００４３】
左頂板３５は、左外側板４８の底板２２とは反対側の縁部に折り目５７を介して一体に形成された左外頂板５８と、左外頂板５８の左外側板４８とは反対側の縁部に折り目５２を介して一体に形成された左内頂板５９とをもって構成され、左内頂板５９を折り目５２より折り曲げて、左外頂板５８の内面に重ね合わせ、その重ね合わされた両板５８，５９が接着剤等により貼り合わされる。また、左内頂板５９の折り目５２とは反対側の縁部に折り目６０を介して左内側板４９が一体に形成されており、左内頂板５９を折り目５２より折り曲げて左外頂板５８に重ね合わせることによって、左側板の左内側板４９が左外側板４８に重なり合うようになっている。
【００４４】
右頂板３６は、右外側板５０の底板２２とは反対側の縁部に折り目６１を介して一体に形成された右外頂板６２と、右外頂板６２の右外側板５０とは反対側の縁部に折り目５３を介して一体に形成された右内頂板６３とをもって構成され、右内頂板６３を折り目５３より折り曲げて、右外頂板６２の内面に重ね合わせ、その重ね合わされた両板６２，６３が接着剤等により貼り合わされる。また、右内頂板６３の折り目５３とは反対側の縁部に折り目６４を介して右内側板５１が一体に形成されており、右内頂板６３を折り目５３より折り曲げて右外頂板６２に重ね合わせることによって、右側板の右内側板５１が左外側板５０に重なり合うようになっている。
【００４５】
左外頂板５８及び右外頂板６２には、その両側辺端部に折り目を介して係止片６５，６５が一体に形成されており、この係止片６５が前側板２７及び背側板２８の上縁、即ち前上縁板３８及び背上縁板４１上に形成された係止孔６６，６６に挿入されて係止されることによって、左右頂板３５，３６がそれぞれ組立式箱の上面端部で前側板２７と背側板２８との間に掛け渡されて固定される。
【００４６】
係止片６５は、左外頂板５８及び右外頂板６２の両側辺端部に折り目を介して連続した挿入板６５ａと、挿入板６５ａの頂板とは反対側の縁部に折り目を介して一体に形成された係合板６５ｂとを備え、係合板６５ｂを折り目より折り曲げて挿入板６５ａの内側面に重ね合わせる。尚、挿入板６５ａと係合板６５ｂとは固着させずにおくか、若しくは接着剤等により固着する。
【００４７】
挿入板６５ａは、鈎状に形成され、係合板６５ｂは、根元部を除いて挿入板６５ａと同形に形成され、これを重ね合わせることにより係止片６５は、厚み方向に重なる鈎状に形成される。
【００４８】
係止孔６６は、図４に示すように、上縁板３８，４１の外側に寄せて形成され、この係止孔６６に連続して切れ目６６ａが形成されている。また、係止孔６６の形状は、幅が挿入板６５ａと係合板６５ｂとを重ね合わせた厚みと同じ、或いはそれよりも狭く形成され、長さが挿入板６５ａの根元部と略同じ長さに形成されている。
【００４９】
このように構成することで、係止片６５は、鈎部の突出した部分で切れ目６６ａを押し広げるとともに、挿入板６５ａと係合板６５ｂとが重ねられた状態で係止孔６６に挿入され、挿入された後は、図５に示すように、弾性力により折り目を中心として係合板６５ｂが挿入板６５ａに重ねられた状態からレ字状に開き、係合板６５ｂの上縁部が上縁板裏面の係止孔６６開口縁部に当接されて抜け止めがされ、また、切れ目６６ａも係止片６５の挿入完了とともに元の状態に回復し、この切れ目６６ａの内側に係止片６５の鈎部が当接し抜けにくくなる。
【００５０】
前左側板間連結板３１、前右側板間連結板３２、背左側板間連結板３３及び背右側板間連結板３４は、それぞれ折り目６７を介して固定部６８と可動部６９とから構成され、固定部６８は、接着剤をもって前背外側板３７，４０の内側面に接着されるようになっている。
【００５１】
尚、組み立てられた際に、各連結板３０，３１，３２，３３の固定部６８と可動部６９とが重なり合った状態で、挟入板５４，５４…とともに、前外側板３７と前内側板３９との間、或いは背外側板４０と背内側板４２との間に挟まれ、押さえられるようになっている。このように、挟入板５４を各連結板３０，３１，３２，３３ととともに挟み込み押さえることによって箱の隅部が補強され、側板を押し広げようとする力に対して十分な強度が得られる。
【００５２】
蓋２１は、平板状に形成され、その両側部に下方に突出した挿入片７０，７０を一体に備え、この挿入片７０，７０が前背側板２７，２８に沿って箱開口部に挿入されることによって、組立式箱２０と蓋２１とが位置決めされるようになっている。
【００５３】
次に、上記の組立式箱の組立方法について図６、図７を参照して説明する。
【００５４】
まず、図６（ａ）〜（ｂ）に示すように、折り目５２，５３に沿って左右内頂板５９，６３、左右内側板４９，５１を内側に折り、重なり合った左外頂板５８と左内頂板５９、右外頂板６２と右内頂板６３とをホットメルト等の接着剤をもって貼着させる。
【００５５】
この際、左右内側板４９，５１が左右外側板４８，５０に重なり合い、左右側板２９，３０が形成される。尚、左右内側板４９，５１と左右外側板４８，５０とを、貼り付けずにおくことで、左右側板を立ち上げる際に左右内側板４９，５１の動作にある程度の自由度を持たせることができ、組立てを好適に行うことができる。
【００５６】
そして、図６（ｂ）〜（ｃ）に示すように、折り目２５，２６に沿って左右側板２９，３０及び左右頂板３５，３６を内側に折り、そのとき一緒に折られる各連結板３１，３２，３３，３４の固定部６８を前背外側板３７，４０の重なり合った部分に接着剤をもって貼着させる。こうすることにより、前背側板２７，２８を立ち上げると貼着された連結板３１，３２，３３，３４に連動して左右側板２９，３０も立ち上がるようになっている。
【００５７】
そして、図６（ｃ）〜（ｄ）に示すように、前上縁板３８の両縁部を折り目として前内側板３９を折り曲げて、前外側板３７に重ね合わせ、重なり合った前内側板３９の接着片３９ａを前外側板３７の内側面を貼着させ、同様に背上縁板４１の両縁部を折り目として折り曲げて背内側板４２を背外側板４０に重ね合わせ、重なり合った背内側板４２の接着片４２ａを背外側板４０の内側面に貼着させる。
【００５８】
これで一次組立が終了し、組立中間部材７１が形成され、この状態で、運搬や保管等を行えば、平板状であるので重ねても嵩張らず効率がよい。
【００５９】
次に、この組立中間部材７１を図７（ｅ）〜（ｆ）に示すように、前側板２７及び背側板２８を立ち上げると、各連結板３１，３２，３３，３４が連動して、各頂板が一体に形成された左右側板２９，３０も立ち上がる。
【００６０】
このとき逃がし片部４４，４４…が側板に対して立ち上がることにより、連結板３１，３２，３３，３４が前背内側板３９，４２に邪魔されずに好適に作動する。
【００６１】
また、前側板２７及び背側板２８、即ち前外側板３７及び背外側板４０が立ち上がることによって、底板の前後側縁部に、係止孔４５，４５が形成されるとともに、脚４５ａ，４５ａが底部に突出する。
【００６２】
そして、図７（ｆ）〜（ｇ）に示すように、逃がし片部４４，４４を元に戻して、前背内側板３９，４２各側縁の係合突起５５，５５を左右側板２９，３０の切欠５６，５６に係合させるとともに、係合突起４６，４６を係止孔４５，４５に係止させる。このとき、連結板３１，３２，３３，３４は、前外側板３７と前内側板３９との間、或いは背外側板４０と背内側板４２との間に、挟入板５４，５４とともに固定部６８と可動部６９とが重なり合った状態で挟まれ、押さえられる。
【００６３】
最後に、図７（ｇ）〜（ｈ）に示すように、折り目５７，６１より頂板３５，３６を内側に折り曲げ、係合板６５ｂを折り目より折り曲げて挿入板６５ａに重ねた係止片６５，６５を前背側板２７，２８の上縁部、即ち各上縁板３８，４１の係止孔６６，６６に挿入し係合させる。
【００６４】
これで、箱の上面端部に頂板３５，３６を備えた組立式箱２０が完成する。
【００６５】
また、この組立式箱２０を分解する際には、左右頂板３５，３６両側辺部の係止片６５，６５を、前背側板２７，２８の上縁部、即ち上縁板３８，４１より取り外すとともに、左右頂板３５，３６を垂直方向、即ち、左右側板２９，３０と同一平面上になるように立ち上げ、また、逃がし片部４４，４４を立ち上げ、そのまま前背側板２７，２８を寝かせると、各連結板３１，３２，３３，３４に連動して頂板が一体化した左右側板２９，３０も寝るので、一次組立が終了したときと同じ状態になる。
【００６６】
尚、上述の実施例では、組立式箱２０を構成する紙製板状材を耐水材で覆って耐水処理を施した例について説明したが、例えば、ポリオレフィン系合成樹脂製の板紙状材料のようにもともと耐水性があり、耐水処理を施す必要のない板状材を用いて構成してもよく、その他用途によって、耐水処理を施さなくともよい。
【００６７】
また、上述の実施例では、係止片６５が挿入板６５ａと係合板６５ｂとが折り目を介して一体に形成された例について説明したが、図８に示すように、上述の係止片６５に代えて、外頂板５８，６２の側縁に折り目を介して一体に形成された外係止片７２，７２と、内頂板５９，６３の側縁に折り目を介して一体に形成された内係止片７３，７３とをもって係止片を形成してもよい。
【００６８】
即ち、折り目５２，５３を介して対称に形成された外係止片７２と内係止片７３とが、折り目５２，５３より内頂板５９，６３を折り曲げて、外頂板５８，６２に重ね合わせることによって、重ね合わされ係止片を形成する。
【００６９】
このように、係止片を外係止片７２と内係止片７３との二重構造とすることによって頂板３５，３６と前後側板２７，２８との係合部が補強される。
【００７０】
また、上述の実施例では、挿入板６５ａの内側に係合板６５ｂを重ねて係止片６５を構成した例について説明したが、係合板６５ｂを挿入板６５ａの外側に重ね合わせて係止片６５を構成してもよく、その際には、係止孔６６を上縁板３８，４１の内側に寄せて形成する。
【００７１】
また、係止片６５は、上述の挿入板６５ａと係合板６５ｂとを重ね合わせて構成した二重構造のものの他、一重構造、即ち挿入板６５ａのみで構成されるようにしてもよい。
【００７２】
更に、上述の実施例では、逃がし片部４４の中央部分に半円状の指穴４７を設けた例について説明したが、逃がし片部４４の上縁板とは反対側の縁部に半円状の切欠を設け、この切欠により逃がし片部４４を引き起こすようにしてもよい。
【００７３】
【発明の効果】
上述のように、本発明に係る組立式箱は、各側板及び頂板がそれぞれ二重構造となって強度が確保され、上面端部に頂板を備えたことによって箱全体が補強され、内部に魚介類等の生鮮食料品を収容した状態で、内部に収容した生鮮食料品等の内容物を傷付けずに多段に積み重ねることができる。
【００７４】
また、組み立て作業及び分解作業を容易に行うことができるので、作業効率が向上し、コストの削減を図ることができる。
【図面の簡単な説明】
【図１】本発明に係る組立式箱の実施の一例を示す斜視図である。
【図２】同上の展開図である。
【図３】同上の前側板（背側板）を示す断面図である。
【図４】同上の係止片と上縁板との係合を示す斜視図である。
【図５】同上の係止片の係合状態を示す断面図である。
【図６】（ａ）〜（ｄ）は同上の組立式箱の組立工程を示す斜視図である。
【図７】（ｅ）〜（ｈ）は同上の組立式箱の組立工程を示す斜視図である。
【図８】係止片の他の一例を示す部分展開図である。
【図９】従来の組立式箱の一例を示す斜視図である。
【図１０】同上の組立式箱の展開図である。
【符号の説明】
２０  組立式箱
２１  蓋
２２  底板
２３〜２６  折り目
２７  前側板
２８  背側板
２９  左側板
３０  右側板
３１  前左側板間連結板
３２  前右側板間連結板
３３  背左側板間連結板
３４  背右側板間連結板
３５  左頂板
３６  右頂板
３７  前外側板
３８  前上縁板
３９  前内側板
３９ａ  接着片
３９ｂ，３９ｃ  折り目
４０  背外側板
４１  背上縁板
４２  背内側板
４２ａ  接着片
４２ｂ，４２ｃ  折り目
４３  折り目
４４  逃がし片部
４５  係止孔
４６  係合突起
４７  指穴
４８  左外側板
４９  左内側板
５０  右外側板
５１  右内側板
５２，５３  折り目
５４  挟入板
５５  係合突起
５６  切欠
５７  折り目
５８  左外頂板
５９  左内頂板
６０  折り目
６１  折り目
６２  右外頂板
６３  右内頂板
６４  折り目
６５  係止片
６５ａ  挿入板
６５ｂ  係合板
６６  係止孔
６６ａ  切れ目
６７  折り目
６８  固定部
６９  可動部
７０  挿入片
７１  組立中間部材
７２  外係止片
７３  内係止片
【図１】
2004203461.tif 000003
【図２】
2004203461.tif 000004
【図３】
2004203461.tif 000005
【図４】
2004203461.tif 000006
【図５】
2004203461.tif 000007
【図６】
2004203461.tif 000008
【図７】
2004203461.tif 000009
【図８】
2004203461.tif 000010
【図９】
2004203461.tif 000011
【図１０】
2004203461.tif 000012